(57)【要約】【課題】掃気圧が低下するような運転条件下においてもエンジンの運転制御をきめ細く行うことを可能とする。【解決手段】排気弁４０を有したエンジン３０と、排気弁４０の作動タイミングを変更し、エンジン３０に加圧空気を供給する過給機３２と、加圧空気及びエンジン３０からの排気の少なくとも一方をバイパスして取出気体として取り出す給気バイパス管１４、掃気バイパス管１６、排気バイパス管１８と、を備え、取り出す取出気体に応じて排気弁４０の作動タイミングを制御する。【選択図】図３
2018172990.tif 000002
【特許請求の範囲】
【請求項１】
排気弁を有したエンジンと、
前記排気弁の作動タイミングを変更するタイミング制御手段と、
前記エンジンに加圧空気を供給する過給機と、
前記加圧空気及び前記エンジンからの排気の少なくとも一方の一部をバイパスして取出気体として取り出す気体取出手段とを備え、
前記気体取出手段で取り出す前記取出気体の取り出し状態に応じて前記タイミング制御手段によって前記排気弁の作動タイミングを制御することを特徴とするエンジンの排気制御システム。
【請求項２】
請求項１に記載のエンジンの排気制御システムであって、
前記タイミング制御手段は、前記取出気体を取り出すときの前記排気弁の閉弁タイミングを前記取出気体を取り出さないときより早めるように制御することを特徴とするエンジンの排気制御システム。
【請求項３】
請求項２に記載のエンジンの排気制御システムであって、
前記排気弁の閉弁タイミングは、前記取出気体の取り出し割合に応じて設定されることを特徴とするエンジンの排気制御システム。
【請求項４】
請求項２又は３に記載のエンジンの排気制御システムであって、
前記排気弁の閉弁タイミングは、前記エンジンの負荷に応じて設定されることを特徴とするエンジンの排気制御システム。
【請求項５】
請求項４に記載のエンジンの排気制御システムであって、
前記エンジンの前記負荷は、部分負荷であることを特徴とするエンジンの排気制御システム。
【請求項６】
請求項２〜５のいずれか１項に記載のエンジンの排気制御システムであって、
前記排気弁の閉弁タイミングは、前記エンジンの排気中の排出物に応じて設定されることを特徴とするエンジンの排気制御システム。
【請求項７】
請求項６に記載のエンジンの排気制御システムであって、
前記排出物は、窒素酸化物であることを特徴とするエンジンの排気制御システム。
【請求項８】
請求項７に記載のエンジンの排気制御システムであって、
前記窒素酸化物の排出許容値に応じて前記排気弁の閉弁タイミングを早めるクランク角を制限することを特徴とするエンジンの排気制御システム。
【請求項９】
請求項２〜８のいずれか１項に記載のエンジンの排気制御システムであって、
前記エンジンの燃焼室内の最高圧力に応じて前記排気弁の閉弁タイミングを早めるクランク角を制限することを特徴とするエンジンの排気制御システム。
【請求項１０】
請求項１又は２に記載のエンジンの排気制御システムであって、
前記エンジンの負荷に応じて、前記気体取出手段による前記取出気体の取り出し割合を変更することを特徴とするエンジンの排気制御システム。
【請求項１１】
請求項１０に記載のエンジンの排気制御システムであって、
前記エンジンの負荷が小さいほど前記取出気体の取り出し割合を増すことを特徴とするエンジンの排気制御システム。
【請求項１２】
請求項１〜１１のいずれか１項に記載のエンジンの排気制御システムであって、
前記取出気体を船体の周囲に噴出して摩擦抵抗を低減することに利用することを特徴とするエンジンの排気制御システム。
【請求項１３】
請求項１〜１１のいずれか１項に記載のエンジンの排気制御システムであって、
前記取出気体を船体に搭載したパワータービンを駆動するために利用することを特徴とするエンジンの排気制御システム。
【請求項１４】
請求項１〜１３のいずれか１項に記載のエンジンの排気制御システムを搭載したことを特徴とする船舶。
【請求項１５】
請求項１４に記載の船舶であって、
前記エンジンは、船舶を推進する主機関であることを特徴とする船舶。
【発明の詳細な説明】
【技術分野】
【０００１】
本発明は、エンジンの排気制御システム及びそれを搭載した船舶に関する。
【背景技術】
【０００２】
船舶では、空気潤滑法により航行効率を向上させたり、パワータービンにより発電を行ったりするためにエンジンから気体を取り出して利用するシステムが知られている。
【０００３】
例えば、船舶の喫水線以下の船体近傍に気体を噴出して船舶の摩擦抵抗を低減するにあたり、主機関に加圧気体を供給する過給機の周辺から船体近傍に噴出させる気体を取り出す構成が知られている。このとき、気体の取り出し状況に応じて過給機の可変ノズルを制御して給気特性を改善し、主機関の効率の維持を図る技術が開示されている（特許文献１）。
【０００４】
また、２サイクルディーゼルエンジンにおいて、排気弁に作動角を変化させる可変動弁機構が設けられており、低速時に比較して高速時ほど作動角が大きくなるように制御するシステムが開示されている（特許文献２）。これにより、高速運転域においてオーパラップ期間及びブローダウン期間の双方が拡大され、サイクル期間の短縮に伴う掃気効率の低下を回避できるとされている。
【先行技術文献】
【特許文献】
【０００５】
【特許文献１】特開２０１０−２２８６７９号公報
【特許文献２】特開平１１−９３７１０号公報
【発明の概要】
【発明が解決しようとする課題】
【０００６】
ところで、エンジンの掃気部周辺において空気を取り出すと、掃気圧の低下がみられエンジン性能が低下する。そこで、掃気圧の低下を防ぐ手段として、過給機のタービン面積を絞るＶＴＩ（Ｖａｒｉａｂｌｅ  Ｔｕｒｂｉｎｅ  Ｉｎｌｅｔ）やＶＴＡ（Ｖａｒｉａｂｌｅ  Ｔｕｒｂｉｎｅ  Ａｒｅａ）の対策がとられてきたが、制御範囲が大きくエンジンの負荷に対してきめ細かい制御ができなかった。
【課題を解決するための手段】
【０００７】
請求項１に対応したエンジンの排気制御システムは、排気弁を有したエンジンと、前記排気弁の作動タイミングを変更するタイミング制御手段と、前記エンジンに加圧空気を供給する過給機と、前記加圧空気及び前記エンジンからの排気の少なくとも一方の一部をバイパスして取出気体として取り出す気体取出手段とを備え、前記気体取出手段で取り出す前記取出気体の取り出し状態に応じて前記タイミング制御手段によって前記排気弁の作動タイミングを制御することを特徴とする。
【０００８】
ここで、前記タイミング制御手段は、前記取出気体を取り出すときの前記排気弁の閉弁タイミングを前記取出気体を取り出さないときより早めるように制御することが好適である。なお、前記タイミング制御手段は、排気弁タイミング変更機構と排気弁タイミング制御装置（電子制御）を含んで構成することが好適である。
【０００９】
また、前記排気弁の閉弁タイミングは、前記取出気体の取り出し割合に応じて設定されることが好適である。また、前記排気弁の閉弁タイミングは、前記エンジンの負荷に応じて設定されることが好適である。ここで、取り出し割合とは、例えば過給機から供給される加圧空気と取出空気との量の比、加圧空気と取出排気との量の比、又は加圧空気と取出空気及び取出排気の合計量との比をいう。
【００１０】
また、前記エンジンの前記負荷は、部分負荷であることが好適である。
【００１１】
また、前記排気弁の閉弁タイミングは、前記エンジンの排気中の排出物に応じて設定されることが好適である。ここで、前記排出物は、窒素酸化物であることが好適である。このとき、前記窒素酸化物の排出許容値に応じて前記排気弁の閉弁タイミングを早めるクランク角（又はクランクシャフト回転角）を制限することが好適である。
【００１２】
また、前記エンジンの燃焼室内の最高圧力に応じて前記排気弁の閉弁タイミングを早めるクランク角（又はクランクシャフト回転角）を制限することが好適である。
【００１３】
また、前記エンジンの負荷に応じて、前記気体取出手段による前記取出気体の取り出し割合を変更することが好適である。このとき、前記エンジンの負荷が小さいほど前記取出気体の取り出し割合を増すことが好適である。
【００１４】
上記エンジンの排気制御システムは、前記取出気体を船体の周囲に噴出して摩擦抵抗を低減することに利用することが好適である。また、上記エンジンの排気制御システムは、前記取出気体を船体に搭載したパワータービンを駆動するために利用することが好適である。
【００１５】
また、請求項１４に対応する本発明の別の態様は、上記エンジンの排気制御システムを搭載した船舶である。このとき、前記エンジンは、船舶を推進する主機関であることが好適である。
【発明の効果】
【００１６】
請求項１に対応したエンジンの排気制御システムによれば、排気弁を有したエンジンと、前記排気弁の作動タイミングを変更するタイミング制御手段と、前記エンジンに加圧空気を供給する過給機と、前記加圧空気及び前記エンジンからの排気の少なくとも一方の一部をバイパスして取出気体として取り出す気体取出手段とを備え、前記気体取出手段で取り出す前記取出気体の取り出し状態に応じて前記タイミング制御手段によって前記排気弁の作動タイミングを制御することによって、掃気圧が低下するような運転条件下においても前記エンジンに対する制御をよりきめ細かくすることができる。
【００１７】
ここで、前記タイミング制御手段は、前記取出気体を取り出すときの前記排気弁の閉弁タイミングを前記取出気体を取り出さないときより早めるように制御することによって、排気ガス中の窒素酸化物の排出量を増加させることなく、前記エンジンの燃費の変化を抑制することができる。
【００１８】
また、前記排気弁の閉弁タイミングは、前記取出気体の取り出し割合に応じて設定されることによって、前記取出気体の取り出し割合に応じた前記エンジンの制御をきめ細かく行うことができる。また、前記排気弁の閉弁タイミングは、前記エンジンの負荷に応じて設定されることによって、前記エンジンの前記負荷（部分負荷）に応じた前記エンジンの制御をきめ細かく行うことができる。
【００１９】
また、前記排気弁の閉弁タイミングは、前記エンジンの排気中の排出物（例えば、窒素酸化物）に応じて設定されることによって、前記エンジンの排気中の排出物に応じた前記エンジンの制御をきめ細かく行うことができる。特に、前記エンジンの運転状態に応じて前記排気中の窒素酸化物の量は変動するので、当該窒素酸化物の量を制限するように前記エンジンを制御することができる。また、前記窒素酸化物の排出許容値に応じて前記排気弁の閉弁タイミングを早めるクランク角（又はクランクシャフト回転角）を制限することによって、前記排気中の前記窒素酸化物の量が前記排気許容量以上となることを防ぐことができる。
【００２０】
また、前記エンジンの燃焼室内の最高圧力に応じて前記排気弁の閉弁タイミングを早めるクランク角（又はクランクシャフト回転角）を制限することによって、前記エンジンの破損が生じる圧力での運転となることを防ぐことができる。
【００２１】
また、前記エンジンの負荷に応じて、前記気体取出手段による前記取出気体の取り出し割合を変更することによって、前記エンジンの負荷に応じて前記エンジンをきめ細かく制御することができる。特に、前記エンジンの負荷が小さいほど前記取出気体の取り出し割合を増すことによって、前記エンジンの運転状況への前記取出気体の取り出しの影響を小さくすることができる。
【００２２】
上記エンジンの排気制御システムを前記取出気体を船体の周囲に噴出して摩擦抵抗を低減することに利用することによって、空気潤滑法により船舶の航行効率を高めると共に掃気圧が低下するような運転条件下においても前記エンジンの制御をきめ細かく行うことができる。また、上記エンジンの排気制御システムは、前記取出気体を船体に搭載したパワータービンを駆動するために利用することによって、パワータービンを利用すると共に掃気圧が低下するような運転条件下においても前記エンジンの制御をきめ細かく行うことができる。
【図面の簡単な説明】
【００２３】
【図１】本発明の実施の形態における船舶の構成を示す図である。
【図２】本発明の実施の形態における主機関の全体構成を示す図である。
【図３】本発明の実施の形態における主機関の構成を示す図である。
【図４】本発明の実施の形態における船舶の制御システムを示す機能ブロック図である。
【図５】本発明の実施の形態における排気機構を示す機能ブロック図である。
【図６】主機関の排気弁の開閉タイミングを説明するための図である。
【図７】主機関における排気弁の閉弁タイミングに対する掃気圧の変化率と燃費との関係例を示す図である。
【図８】主機関における排気弁の閉弁タイミングに対する掃気圧の変化率と窒素酸化物の変化率との関係例を示す図である。
【図９】部分負荷が４０％における燃費の変化率に対する排気弁の閉弁タイミングと掃気圧の変化率との関係例を示す図である。
【図１０】部分負荷が５０％における燃費の変化率に対する排気弁の閉弁タイミングと掃気圧の変化率との関係例を示す図である。
【図１１】部分負荷が６０％における燃費の変化率に対する排気弁の閉弁タイミングと掃気圧の変化率との関係例を示す図である。
【図１２】部分負荷が７５％における燃費の変化率に対する排気弁の閉弁タイミングと掃気圧の変化率との関係例を示す図である。
【発明を実施するための形態】
【００２４】
本発明の実施の形態における船舶１００は、図１に示すように、船体１０、主機関１２、給気バイパス管１４、掃気バイパス管１６、排気バイパス管１８、給気管２０、気体噴出口２２、遮断バルブ２４及び制御部２６を含んで構成される。
【００２５】
船舶１００は、主機関１２によって発生させられる駆動力によって海、河川、湖沼等を航行する。本実施の形態における船舶１００は、空気潤滑法が適用されており、船体１０の喫水線よりも下の水中において船体１０の近傍に気体（空気、排気）を送り込むことができる構成とされている。これによって、航行中の船体１０と水との間の抵抗を低減させ、船体１０の航行時の効率を向上させることができる。
【００２６】
船体１０には、主機関１２が搭載される。主機関１２は、例えば、２サイクルのディーゼルエンジンとすることができる。主機関１２には、給気バイパス管１４、掃気バイパス管１６及び排気バイパス管１８を含むバイパス管が接続される。給気バイパス管１４、掃気バイパス管１６及び排気バイパス管１８は、それぞれ主機関１２との間にバイパス調整弁を備える。
【００２７】
給気管２０は、給気バイパス管１４、掃気バイパス管１６及び排気バイパス管１８と気体噴出口２２との間を接続する配管である。給気管２０は、気体噴出口２２に対して気体を通すための管である。給気管２０は、例えば、給気バイパス管１４、掃気バイパス管１６及び排気バイパス管１８との接続部から船体１０の底部付近の高さに一旦下げられ、喫水位置より上部となるように再び上げられ、略水平方向に延設され、さらに底部に向けて下げられるように配管される。このように、一旦喫水線よりも高い位置に給気管２０を経由させることによって、バイパス調整弁等のバルブが故障した場合であっても気体噴出口２２からの水の逆流入を防止することができる。
【００２８】
給気バイパス管１４、掃気バイパス管１６及び排気バイパス管１８の少なくとも１つから取り出された空気（以下、取出気体という。）は給気管２０を介して気体噴出口２２に供給される。気体噴出口２２は、例えば、船体１０の船底の前部において左舷及び右舷に対称的に配置される。船体１０が航行中に気体噴出口２２から取出気体を噴出させることによって、船体１０の船底と水の界面に気泡を形成することができる。これによって、船舶１００に空気潤滑法を適用することができ、船舶１００の航行効率を高めることができる。
【００２９】
なお、気体噴出口２２を船体１０の船底に設けることによって、形成した気泡を船体１０の船底付近に長時間にわたって滞在させることができる。また、気体噴出口２２を船体１０の前部に設けることによって、船舶１００が航行中に船体１０の前部から後部にわたって船底全体に気泡を滞在させることができる。これらによって、船舶１００に対する空気潤滑法の効果をより高めることができる。
【００３０】
また、気体噴出口２２の近傍の給気管２０に遮断バルブ２４を設けてもよい。遮断バルブ２４は、気体噴出口２２に対して取出気体が供給されていないときには遮断バルブ２４を閉状態にすることで水の逆流入を防ぐことができる。気体噴出口２２に対して取出気体を供給する場合、取出気体の圧力が十分に高まってから遮断バルブ２４を開状態にすることが好適である。
【００３１】
制御部２６は、船舶１００における各部の制御を統合的に行う処理部である。制御部２６は、コンピュータを含んで構成することができる。制御部２６は、後述する各種センサによる測定値に基づいて船舶１００を構成する主機関１２等を電子制御する。特に、本実施の形態では、制御部２６はその一部が排気弁タイミング制御装置としても機能する。制御部２６による制御については後述する。なお、排気弁タイミング制御装置を、統合的に制御を行う処理部から独立して構成することも可能である。
【００３２】
図２は、主機関１２、制御部２６及び負荷３００の構成及び関係を示す構成図である。また、図３は、主機関１２の主要構成を示す図である。主機関１２は、エンジン本体３０、過給機３２、給気管３４、インタークーラー３６、掃気レシーバ３８、排気弁４０、排気レシーバ４２、排気管４４、燃料供給手段４６（燃料ポンプ４６ａ、電子ガバナー４６ｂ）及びコントローラ６６（排気弁タイミング変更機構６６ａ，排気弁駆動ポンプ６６ｂ）を含んで構成される。
【００３３】
エンジン本体３０は、シリンダ３０ａ、ピストン３０ｂ、クランク３０ｃ等を含んで構成される。エンジン本体３０では、シリンダ３０ａ内におけるピストン３０ｂの往復運動に応じてシリンダ３０ａに対する空気の給気及び掃気が行われる。また、シリンダ３０ａ内には、燃料供給手段４６によって燃料が供給され、燃料と空気の混合気に点火及び燃焼・爆発が行われ、そのエネルギーがピストン３０ｂを駆動させる。ピストン３０ｂへ与えられた駆動力は、クランク３０ｃを介して負荷３００へ伝達される。船舶１００では、負荷３００は推進用のプロペラ等とされる。また、試験機では、負荷３００は水制動機等とすればよい。
【００３４】
過給機３２は、圧縮機Ｃ及びタービンＴを含んで構成される。過給機３２では、エンジン本体３０からの排気ガスのエネルギー（温度及び圧力）を利用してタービンＴを高速回転させ、その回転力によって圧縮機Ｃを駆動することによって圧縮した空気をエンジン本体３０のシリンダ３０ａ内へ供給する。すなわち、過給機３２は、圧縮した空気をエンジン本体３０に送り込み、主機関１２の本来の給気量を超える混合気を吸入・爆発させることで見かけの排気量を超える出力を与える。
【００３５】
過給機３２において圧縮された空気は、ディフューザ等を介して給気管３４に送り込まれる。給気管３４には、インタークーラー３６が設けられる。インタークーラー３６は、圧縮空気を中間冷却する。インタークーラー３６を通った圧縮空気は掃気レシーバ３８に送り込まれて貯められる。掃気レシーバ３８に貯められた圧縮空気は、エンジン本体３０のピストン３０ｂが下死点付近にあるときに開状態となる掃気ポートからエンジン本体３０のシリンダ３０ａ内に送り込まれる。燃料供給手段４６は、燃料ポンプ４６ａ及び電子ガバナー４６ｂを含んで構成される。電子ガバナー４６ｂは、クランク３０ｃの回転数を示す回転数信号Ｓ１を受けて、燃料ポンプ４６ａの駆動タイミングを制御する。燃料ポンプ４６ａは、電子ガバナー４６ｂの制御により所望のタイミングで燃料をシリンダ３０ａ内に噴射させる。エンジン本体３０のシリンダ３０ａ内には、燃料供給手段４６から燃料が供給されて混合気となり、ピストン３０ｂにより圧縮されて混合気が燃焼させられる。燃焼によりピストン３０ｂに駆動力が与えられる。
【００３６】
エンジン本体３０での燃焼により発生した排気ガスは、排気弁４０が開状態となると共に掃気レシーバ３８に貯められた圧縮空気によって掃気されて排気レシーバ４２に送り込まれる。排気レシーバ４２に貯められた排気ガスは、過給機３２のタービンＴに導かれて回転力を与えた後に排気される。
【００３７】
本実施の形態では、排気弁４０を閉状態から開状態にする開弁タイミング及び開状態から閉状態にする閉弁タイミングは制御部２６によって制御される。具体的には、制御部２６が排気弁タイミング制御装置として機能し、排気弁タイミング変更機構６６ａを制御することによって排気弁４０の作動タイミング及び開度（リフト量）が制御される。排気弁タイミング変更機構６６ａは、排気弁駆動ポンプ６６ｂにより発生した油圧を利用して、排気弁４０を押す油圧アクチュエータに設けられた電磁式のリリーフバルブにより排気弁４０を開く圧力を調整して排気弁４０を制御する。排気弁４０の制御については後述する。
【００３８】
本実施の形態では、給気管３４に給気バイパス管１４が接続される。給気管３４と給気バイパス管１４との間には給気バイパス調整弁５０が設けられる。給気バイパス調整弁５０を開状態にすることによって、給気管３４に送り込まれた圧縮空気の一部が給気管２０へ送り込まれる。一方、給気バイパス調整弁５０を閉状態とすることによって、給気管３４に送り込まれた圧縮空気は給気管２０に送り込まれない状態となる。給気バイパス調整弁５０の開度は、制御部２６によって制御される。
【００３９】
また、本実施の形態では、掃気レシーバ３８に掃気バイパス管１６が接続される。掃気レシーバ３８と掃気バイパス管１６との間には掃気バイパス調整弁５２が設けられる。掃気バイパス調整弁５２を開状態にすることによって、掃気レシーバ３８に送り込まれた圧縮空気の一部が給気管２０へ送り込まれる。一方、掃気バイパス調整弁５２を閉状態とすることによって、掃気レシーバ３８に送り込まれた圧縮空気は給気管２０に送り込まれない状態となる。掃気バイパス調整弁５２の開度は、制御部２６によって制御される。
【００４０】
また、本実施の形態では、排気レシーバ４２に排気バイパス管１８が接続される。排気レシーバ４２と排気バイパス管１８との間には排気バイパス調整弁５４が設けられる。排気バイパス調整弁５４を開状態にすることによって、排気レシーバ４２に送り込まれた排気ガスの一部が給気管２０へ送り込まれる。一方、排気バイパス調整弁５４を閉状態とすることによって、排気レシーバ４２に送り込まれた排気ガスは給気管２０に送り込まれない状態となる。排気バイパス調整弁５４の開度は、制御部２６によって制御される。
【００４１】
図４は、本実施の形態における船舶１００の制御手段の制御ブロック図を示す。制御手段は、制御部２６、海象判断部２００、船舶状況判断部２０２及び航行状態検出部２０４を含んで構成される。
【００４２】
制御部２６は、過給機３２に設けられた各種センサによって取得した測定値、海象判断部２００、船舶状況判断部２０２及び航行状態検出部２０４の出力に基づいて船舶１００を制御する。本実施の形態では、特に、制御部２６による給気バイパス調整弁５０、掃気バイパス調整弁５２及び排気バイパス調整弁５４並びに排気弁４０の制御について説明する。海象判断部２００は、船舶１００の周囲の海象状況に係るデータを収集しこれに基づいて判断する。航行状態検出部２０４は、船舶１００の状況（位置状況、燃料状況、運転状況等）に関する情報を取得し、これに基づいて船舶１００の状況を判断する。航行状態検出部２０４は、船舶１００の航行状態を検出する。以下、各部について説明する。
【００４３】
制御部２６は、各種センサにより取得されたデータに基づいて所定の処理を行う機能を有する処理部６０と、この処理部６０に基本データをフィードする機能を有する基本データ部６２と、この基本データ部６２に主機関（エンジン）１２の特性に関する情報を計算又は取得して与える機能を有するエンジン特性部６４と、処理部６０からの信号に基づいて主機関１２の排気弁４０及び給気バイパス管１４、掃気バイパス管１６及び排気バイパス管１８の開度を制御する機能を有するコントローラ６６を備える。コントローラ６６は、上記の排気弁タイミング変更機構６６ａ及び排気弁駆動ポンプ６６ｂを含んで構成される。制御部２６は、予め内部メモリに記憶されたプログラム及びデータに基づいて演算処理や判定処理を行うコンピュータにより構成することができる。
【００４４】
海象判断部２００は、波センサ７０、風センサ７２、潮流センサ７４を備えて構成されている。波センサ７０は、波の波高や方向、また周期等を検出する。風センサ７２は、風の風速や方向等を検出する。潮流センサ７４は、潮の潮速や方向、また高さ等を検出する。この海象判断部２００は、この他一般の天候等の情報も含めて、波、風、潮等の情報に天候等も加味し、例えば、海象が荒れているときは取出気体の噴出を止め、回復したら取出気体を供給し気泡を発生させるなどの判断を行うことに利用される。
【００４５】
船舶状況判断部２０２には、船舶１００の機関の運転状態を検出する機関運転検出部７６、船舶１００の機関の燃料消費量を計測する燃料計測部７８、船の位置を検出するＧＰＳ８０が設けられている。この船舶状況判断部２０２は、特に船舶１００の現況を判断する部分であり、航行中に変化が少ない（もしくはない）、あるいは変化が緩慢な船舶１００の現況を判断するものである。例えば、機関運転検出部７６は、主機関１２の現在の負荷（部分負荷）を検出して出力したり、過去及び現在の負荷（部分負荷）に基づいて将来の負荷（部分負荷）の予測値を出力したりする。また、機関運転検出部７６は、主機関１２の燃焼室の現在の圧力を検出して出力したり、過去及び現在の圧力に基づいて将来の燃焼室の圧力の予測値を出力したりする。また、機関運転検出部７６は、主機関１２の熱負荷に関連した物理量、例えば掃気圧及び排気温度を検出して出力する。また、機関運転検出部７６は、例えば過給機３２の回転数を検出して出力する。また、例えば、ＧＰＳ８０は、船の地図上の位置を把握し、港や目的地までの距離や対地の絶対速度等を検出している。
【００４６】
航行状態検出部２０４は、相対速度センサ８２、測深儀８４、船体１０の喫水レベルを検出する喫水センサ８６、剪断力センサ８８、船体１０の進行方向に対しての左右の傾きいわゆるローリングを検出する傾斜センサ９０を備えて構成される。これら航行状態検出部２０４は、船舶１００の航行に伴い比較的変化し易い、あるいは変化をさせる目的で制御される物理量を検出している。この航行状態検出部２０４には、この他、船体１０の左右揺れ（スウェイング）、縦揺れ（ピッチング）、前後揺れ（サージング）、上下揺れ（ヒービング）、船首揺れ（ヨーイング）を検出するセンサ等(図示しない)が含まれる。
【００４７】
船舶状況判断部２０２からの情報、海象判断部２００からの情報、航行状態検出部２０４からの情報は、制御部２６の処理部６０に入力される。処理部６０は、これらの情報と船体１０の船底に取出気体を噴出する条件とを比較して給気バイパス管１４、掃気バイパス管１６及び排気バイパス管１８の開度を制御するための信号をコントローラ６６へ出力する。
【００４８】
ここで、取出気体を噴出する条件とは、気体の噴出開始／停止、複数ある場合には気体噴出口２２のどれとどれから気体を噴出させるか、気体の噴出のための空気（取出気体）の取り出し量（取り出し割合）をどうするか、噴出のタイミングをどうするか、また時間的な気体噴出シーケンスをどう組むか、いつ噴出させていつ止めるか、噴出方向をどうするか等の条件である。
【００４９】
例えば、主機関１２の熱負荷に関連した物理量と過給機特性とに基づいて取出気体の噴出を制御する。この場合、取出気体を噴出する条件は、主機関１２の熱負荷に関連した物理量とする。主機関１２の熱負荷に関連した物理量の代表例としては、掃気圧と排気温度（或いは排気管温度、その他排気温度と一対一で対応する周囲温度等）を採用し、過給機特性としては過給機効率を採用することができる。ここで掃気圧及び排気温度は、機関運転検出部７６に含まれるセンサで検出すればよい。また、過給機効率は、機関運転検出部７６に含まれるセンサによって過給機３２の回転数を検出し、過給機３２のすべり率や扇車直径等の基本データから過給機総合効率を計算すればよい。具体的には、掃気圧、排気温度及び過給機効率が低いときには給気バイパス管１４、掃気バイパス管１６及び排気バイパス管１８からの取出気体の取り出し割合を少なくし、掃気圧、排気温度及び過給機効率が（高い）ときには取り出し割合を高くするように制御することが好適である。例えば、取出気体の取り出し割合を、掃気圧、排気温度及び過給機効率の関数として設定しておき、現在の掃気圧、排気温度及び過給機効率を当該関数に代入することにより取り出し割合を算出するようにすればよい。
【００５０】
また、主機関１２の運転状況に応じて取出気体の噴出を制御してもよい。この場合、取出気体を噴出する条件は、主機関１２の運転／停止の状態や主機関１２の負荷（部分負荷）とすることができる。例えば、主機関１２の運転の停止が確認されたら取出気体の噴出を止め、主機関１２が動き出し所定時間経ったら取出気体の噴出を開始するようにしてもよい。この場合、船舶状況判断部２０２の機関運転検出部７６にて主機関１２の運転状況を把握し、主機関１２が定常運転状態であれば取出気体の噴出を行い、定常運転状態でなければ取出気体の噴出を停止させるようにすればよい。
【００５１】
また、主機関１２の現在の部分負荷に応じて取出気体の取り出し割合を制御してもよい。この場合、制御部２６は、船舶状況判断部２０２の機関運転検出部７６によって検出された主機関１２の現在の部分負荷を取得し、主機関１２の部分負荷が小さくなるにつれて取出気体の取り出し割合を多くすることが好適である。また、制御部２６は、船舶状況判断部２０２の機関運転検出部７６によって予測された主機関１２の将来の部分負荷の予測値を取得し、主機関１２の部分負荷の予測値が小さくなるにつれて取出気体の取り出し割合を多くすることが好適である。
【００５２】
また、主機関１２の燃費に基づいて取出気体の噴出を制御してもよい。この場合、気体を噴出する条件は、主機関１２の燃費である。主機関１２の燃費は、機関運転検出部７６によって検出して制御部２６に入力するようにしてもよいし、機関運転検出部７６によって検出された他の物性値と基本データ部６２から設定された主機関１２の特性に基づいて算出してもよい。例えば、船舶状況判断部２０２の燃料計測部７８で検出される燃費が予定より下回ったら取出気体の噴出を止め、燃費が予定よりも上回っていれば取出気体の噴出を行えばよい。さらに、燃費に応じて取出気体の取り出し割合を補正するようにしてもよい。例えば、燃費が高いほど取出気体の取り出し割合が高くなるように補正係数を設定し、取り出し割合が当該補正係数に比例するように補正を行えばよい。また、現在の燃費の代わりに燃費の予測値に基づいて制御を行ってもよい。例えば、燃費の改善が予測される場合は取出気体の噴出を開始し、燃費の悪化が予測される場合には取出気体の噴出を停止させてもよい。
【００５３】
また、気泡生成にとっては、圧力が高く、粘性係数が下がるところから温度が高い方が良い。したがって、排気バイパス管１８からの排気ガスを用いることが最も適している。しかしながら、排気ガスを水中に噴出すると、汚染を誘発するおそれがあるという環境問題が想定される。したがって、排気バイパス管１８からの排気ガスを利用できない水域があると想定される。このような水域では、給気バイパス管１４及び掃気バイパス管１６のいずれかからの気体を利用することが好適である。そこで、水域に応じて取出気体の噴出を制御してもよい。この場合、気体を噴出する条件は、船舶１００が航行している水域とすることができる。例えば、船舶状況判断部２０２のＧＰＳ８０による測位に基づいて船舶１００が港や目的地が近い水域に入っていると判断されると取出気体の噴出を止め、当該水域を出たと確認されると取出気体の噴出を開始するようにしてもよい。また、例えば、船舶状況判断部２０２のＧＰＳ８０による測位に基づいて船舶１００が港や目的地が近い水域に入っていると判断されると給気バイパス管１４及び掃気バイパス管１６のいずれかから取出気体を取り出すようにし、当該水域を出たと確認されると排気バイパス管１８から取出気体を取り出すようにしてもよい。
【００５４】
また、水域として渦潮域が近付いたら取出気体の噴出を止め、渦潮域を外れたら取出気体の噴出を開始するようにしてもよい。この場合、海象判断部２００の潮流センサ７４にて潮流を検出し、渦潮域が近付いたら取出気体の噴出を止め、渦潮域を外れたら取出気体の噴出を開始するようにすればよい。
【００５５】
また、天候に応じて取出気体の噴出を制御してもよい。この場合、気体を噴出する条件は、海象判断部２００で予測される天候とすることができる。制御部２６は、海象判断部２００から入力される天候の予測に基づいて取出気体の噴出や取出気体の取り出し割合を制御することができる。例えば、海象判断部２００において台風や時化等の荒天が認定される場合は取出気体の噴出を停止し、回復したら開始する等の制御としてもよい。
【００５６】
また、波の高さに基づいて取出気体の噴出を制御してもよい。この場合、気体を噴出する条件は、海象判断部２００の波センサ７０によって検出される波高とすることができる。例えば、制御部２６は、海象判断部２００の波センサ７０で検出される波高が所定値以上になったら取出気体の噴出を停止し、所定値未満になったら取出気体の噴出を開始すればよい。また、波の高さに応じて取出気体の取り出し割合を補正するようにしてもよい。例えば、波が低いほど取出気体の取り出し割合が高くなるように補正係数を設定し、取り出し割合が当該補正係数に比例するように補正を行えばよい。
【００５７】
また、船体１０の加速度に応じて取出気体の噴出を制御してもよい。この場合、取出気体を噴出する条件は、航行状態検出部２０４の相対速度センサ８２で検出される船舶１００の速度の時間変化（加速度）とすることができる。例えば、制御部２６は、航行状態検出部２０４の相対速度センサ８２の統計的処理をされた代表値の時間変化に基づき、船体１０が動き出しの加速をしているときは閾値を下げ早めに取出気体を噴出し、船体１０が減速しているときは速度が落ちているときには閾値を上げて取出気体の噴出を早めに止めるといった制御をしてもよい。また、船体１０の加速度に応じて取出気体の取り出し割合を補正するようにしてもよい。例えば、船体１０の加速度が高いほど取出気体の取り出し割合が高くなるように補正係数を設定し、取り出し割合が当該補正係数に比例するように補正を行えばよい。
【００５８】
以上のように、取出気体の噴出開始及び停止のタイミング、取出気体の噴出量の条件は、船舶１００の状況に応じて設定される。ただし、取出気体の噴出開始及び停止のタイミング、取出気体の噴出量の条件は上記条件に限定されるものではない。また、上記の取出気体の噴出の条件を複数組み合わせる場合、各条件について優先順位を決めておき、優先順位が高い条件に基づいて取出気体の噴出を制御すればよい。また、各条件についてそれぞれ重み係数を設定しておき、各条件に基づいて決定された制御量に重み付け係数を乗算して加算することにより得られた制御量に応じて取出気体の噴出を制御してもよい。
【００５９】
図５は、排気弁４０の制御系の機能ブロック図を示す。制御部（排気弁タイミング制御装置として機能）２６は、エンジン本体３０に設けられた圧力センサ３１ａ、トルクセンサ３１ｂ、回転数センサ３１ｃ、燃料供給路に設けられた燃料流量センサ３１ｄからそれぞれシリンダ３０ａ内の圧力、主機関１２による出力トルク、主機関１２の回転数及び燃料供給流量の情報を取得する。制御部（排気弁タイミング制御装置）２６は、圧力、出力トルク、回転数及び燃料供給流量のデータに応じて排気弁４０を開閉させるタイミング及び開度（リフト量）を制御する。具体的には、排気弁タイミング変更機構６６ａにより排気弁４０の作動タイミング及び開度（リフト量）が調整される。排気弁タイミング変更機構６６ａは、制御部（排気弁タイミング制御装置）２６からの制御信号に応じて排気弁４０を押す油圧アクチュエータに設けられた電磁式のリリーフバルブを制御し、それにより排気弁４０を開く圧力を調整して排気弁４０の作動タイミング及び開度（リフト量）を調整する。
【００６０】
本実施の形態では、さらに取出気体に応じて排気弁４０の開閉の制御が行われる。気泡としての生成される気体の噴出量に関連して、給気、掃気及び排気の少なくとも１つの取出気体の量が変更される。すなわち、給気バイパス管１４、掃気バイパス管１６及び排気バイパス管１８から取り出される取出気体の量が制御される。なお、給気と掃気を併せて加圧空気と称する。
【００６１】
なお、取出気体の取り出し割合は、それぞれ給気バイパス調整弁５０、掃気バイパス調整弁５２及び排気バイパス調整弁５４のいずれかにより制御される。ここで、図５に示した、掃気バイパス管１６に設けられた流量センサ１６ａにより掃気からの取出気体の取り出し量を検出し、主機関１２の回転数から主機関１２への空気量を算出し、取出気体の取り出し割合を求めることができる。なお、流量センサ１６ａを用いる代わりに掃気バイパス調整弁５２の開度（変位）に基づいて取出気体の取り出し量を求めてもよい。
【００６２】
なお、取り出し割合とは、例えば過給機から供給される加圧空気と取出空気との量の比、加圧空気と取出排気との量の比、又は加圧空気と取出空気及び取出排気の合計量との比をいう。この際、量は質量流量であることが好ましく、他の比のとり方であってもエンジン本体３０に供給される掃気の量が確保される比であることが好ましい。実際の制御に当たっては、エンジン本体３０に供給される掃気の量は、直接、流量を計測してもよいし、掃気圧等で代用してもよい。
【００６３】
一方、取出気体の取り出し割合に応じて主機関１２における掃気圧が低下し、主機関１２の性能が低下する。また、排気ガス中の有害物質の量が増加するおそれがある。そこで、制御部２６では、取出気体に応じて主機関１２の排気弁４０を制御する。具体的には、制御部２６は、取出気体に応じて排気弁４０の閉弁タイミングを制御する。これにより、制御部２６は、タイミング制御手段として機能する。
【００６４】
図６は、エンジン本体３０に設けられた排気弁４０の開閉タイミングの例を示す図である。図６の横軸はクランクシャフトの回転角（クランク角）であり、縦軸は排気弁４０のリフト量（排気弁４０の開度に相当する。）である。図６の例では、排気弁４０の閉弁タイミングが通常時（ψｅ＝０°）の場合、通常時に対して回転角で−１５°進めた場合及び通常時に対して回転角で−３０°進めた場合を示している。
【００６５】
図７は、排気弁４０の閉弁タイミングをパラメータとした掃気圧の減少に対する燃費の変化の関係を示す図である。図７に示すように、排気弁４０の閉弁タイミングが通常時（ψｅ＝０°）の場合、取出気体の取り出しによって掃気圧が低下するに伴って燃費の変化率が大きくなる。これに対して、排気弁４０の閉弁タイミングを早めるにつれて掃気圧の減少に対する燃費の変化率は小さくなる。
【００６６】
また、図８は、排気弁４０の閉弁タイミングをパラメータとした掃気圧の減少に対する窒素酸化物（ＮＯｘ）の排出の変化率の関係を示す図である。図８に示すように、排気弁４０の閉弁タイミングが通常時（ψｅ＝０°）の場合、取出気体の取り出しによって掃気圧が低下するに伴ってＮＯｘの排出は低下する。これに対して、排気弁４０の閉弁タイミングを早めるにつれて掃気圧の減少に対するＮＯｘの排出は増加するが、その増加率は掃気圧の低下がないときに比べて僅かに抑えることができる。
【００６７】
したがって、給気バイパス管１４、掃気バイパス管１６及び排気バイパス管１８のいずれかから取出気体を取り出すことに伴って掃気圧が低下した場合であっても排気弁４０の閉弁タイミングを調節することによってＮＯｘの排出は大きく悪化しないようにしつつ燃費の変化を抑制することができる。
【００６８】
具体的には、主機関１２の特性が、図７及び図８に示されるようなものである場合、取出気体を取り出すときの排気弁４０の閉弁タイミングを取出気体を取り出さないときより早めるように制御することが好適である。これにより、ＮＯｘの排出は大きく悪化しないようにしつつ燃費の変化を抑制することができる。
【００６９】
このとき、制御部２６は、給気バイパス管１４、掃気バイパス管１６及び排気バイパス管１８に繋がる給気管２０における気体の圧力を圧力センサ９２で測定し、その圧力に応じて排気弁４０の閉弁タイミングを制御してもよい。この場合、圧力センサ９２によって測定された圧力が低くなるほど排気弁４０の閉弁タイミングを早めるように制御を行うことが好適である。また、制御部２６は、給気管２０の代わりに排気管４４に圧力センサ９２を配置し、排気管４４の圧力に応じて排気弁４０の閉弁タイミングを制御してもよい。この場合、圧力センサ９２によって測定された圧力が低くなるほど排気弁４０の閉弁タイミングを早めるように制御を行うことが好適である。
【００７０】
また、制御部２６は、取出気体の取り出し割合に応じて排気弁４０の閉弁タイミングを設定することが好適である。すなわち、主機関１２の掃気圧は給気バイパス管１４、掃気バイパス管１６及び排気バイパス管１８から取り出される取出気体の割合に応じて変化するので、取出気体の割合に応じて排気弁４０の閉弁タイミングを制御することが好適である。例えば、制御部２６は、圧力センサ９２の代わりに給気管２０を流れる気体の流量を測定する流量センサを設け、流量が増加、すなわち取出気体の割合が増加するにつれて排気弁４０の閉弁タイミングをより早めるように制御を行うことが好適である。また、制御部２６は、給気管２０の代わりに排気管４４を流れる気体の流量を測定する流量センサを設け、流量が減少するにつれて排気弁４０の閉弁タイミングをより早めるように制御を行うことが好適である。  
【００７１】
また、制御部２６は、主機関１２の排気中の排出物に応じて排気弁４０の閉弁タイミングを設定してもよい。排気管４４に物質センサ９４を配置し、排気ガス中の化学物質の量に応じて排気弁４０の閉弁タイミングを制御することが好適である。例えば、制御部２６は、排気ガス中の化学物質としての窒素化合物の量が増加するにつれて排気弁４０の閉弁タイミングを遅くするように制御を行うことが好適である。窒素化合物としては、例えば、ＮＯｘが挙げられる。
【００７２】
また、制御部２６は、窒素酸化物の排出許容値に応じて排気弁４０の閉弁タイミングを早める時間を制限するようにしてもよい。これは、窒素化合物の排気制限に応じて排気弁４０の閉弁タイミングにリミッタを設けるものである。例えば、船舶１００が航行している水域における窒素化合物の排出制限量を超えるような制御とならないように、排気弁４０の閉弁タイミングを早める時間を制限することが好適である。
【００７３】
図９〜図１２は、主機関１２の負荷（部分負荷）がそれぞれ４０％、５０％、６０％、７５％の場合に燃費の変化をパラメータとした排気弁４０の閉弁タイミングと掃気圧の変化率との関係を示す。図９〜図１２において、ラインはシミュレーションによって得られた関係を示し、白丸は船舶を用いた実測値を示す。
【００７４】
図９〜図１２に示すように、主機関１２の負荷（部分負荷）に応じて排気弁４０の閉弁タイミングと燃費及び掃気圧の変化率との関係は変化する。したがって、制御部２６は、主機関１２の負荷（部分負荷）に応じて排気弁４０の閉弁タイミングを設定することが好適である。具体的には、燃費と掃気圧の変化率とを同じ値に制御するためには、主機関１２の負荷（部分負荷）が低いほど排気弁４０の閉弁タイミングを早めることが好適である。
【００７５】
なお、エンジンの排気制御システムが適用される船舶１００により、主機関１２(エンジン)の負荷は異なってくるところ、適用される船舶１００ごとに異なる負荷に応じて、排気弁４０の閉弁タイミングを設定することができる。さらに、部分負荷に応じて排気弁４０の閉弁タイミングを変更することができる。
【００７６】
また、本実施の形態では、排気弁４０の閉弁タイミングを制御する態様について説明したが、排気弁４０のリフト量を制御するようにしてもよい。
【００７７】
また、主機関１２を破損等から保護するためには、主機関１２の燃焼室内の最高圧力に応じて排気弁４０の閉弁タイミングを早める時間を制限するようにしてもよい。この場合、主機関１２の燃焼室内の圧力を測定する圧力センサを設け、制御部２６は、当該圧力センサの出力が所定の基準値を超えると排気弁４０の閉弁タイミングをそれ以上早めないように制御するようにすればよい。
【００７８】
また、窒素酸化物の排出許容値に応じた、排気弁４０の閉弁タイミングを早めるクランク角の制限と、主機関１２(エンジン)の燃焼室内の最高圧力に応じて閉弁タイミングを早めるクランク角の制限とを併せて行い、双方の条件を満たすクランク角に制限してもよい。
【００７９】
以上のように、本発明の実施の形態におけるエンジンの排気制御システム及びそれを搭載した船舶とすることによって、掃気圧が低下するような運転条件下においてもエンジンに対する制御をよりきめ細かくすることができる。特に、排気ガス中の窒素酸化物の排出量を増加させることなく、エンジンの燃費の変化を抑制することができる。また、エンジンの負荷（部分負荷）に応じたエンジンの制御をきめ細かく行うことができる。また、エンジンの排気中の排出物に応じたエンジンの制御をきめ細かく行うことができる。
【００８０】
なお、排気弁４０の制御方法は上記条件に限定されるものではない。また、上記の排気弁４０の制御の条件を複数組み合わせる場合、各条件について優先順位を決めておき、優先順位が高い条件に基づいて排気弁４０の閉弁タイミングを制御すればよい。また、各条件についてそれぞれ重み係数を設定しておき、各条件に基づいて決定された制御量に重み付け係数を乗算して加算することにより得られた制御量に応じて排気弁４０の閉弁タイミングを制御してもよい。また、閉弁タイミングに併せて開弁タイミングを所定の範囲で制御することも可能である。
【産業上の利用可能性】
【００８１】
本発明は、給気、掃気及び排気のすくなくとも１つから気体を取り出して利用する内燃機関を含む装置に適用することができる。本実施の形態においては、空気潤滑法により摩擦抵抗を低減させた船舶への適用例を示したがこれに限定されるものではない。他の用途、例えば、パワータービンを駆動するために取出気体を利用する構成とされた内燃機関に適用することができる。また、他の移動体、例えば、潜水艦、航空機、鉄道車両、自動車等の内燃機関についても適用することができる。
【符号の説明】
【００８２】
１０  船体、１２  主機関、１４  給気バイパス管、１６  掃気バイパス管、１６ａ  流量センサ、１８  排気バイパス管、２０  給気管、２２  気体噴出口、２４  遮断バルブ、２６  制御部（排気弁タイミング制御装置）、３０  エンジン（エンジン本体）、３１ａ  圧力センサ、３１ｂ  トルクセンサ、３１ｃ  回転数センサ、３１ｄ  燃料流量センサ、３２  過給機、３４  給気管、３６  インタークーラー、３８  掃気レシーバ、４０  排気弁、４２  排気レシーバ、４４  排気管、４６  燃料供給手段、５０  給気バイパス調整弁、５２  掃気バイパス調整弁、５４  排気バイパス調整弁、６０  処理部、６２  基本データ部、６４  エンジン特性部、６６  コントローラ、６６ａ  排気弁タイミング変更機構、６６ｂ  排気弁駆動ポンプ、７０  波センサ、７２  風センサ、７４  潮流センサ、７６  機関運転検出部、７８  燃料計測部、８２  相対速度センサ、８４  測深儀、８６  喫水センサ、８８  剪断力センサ、９０  傾斜センサ、９２  圧力センサ、９４  物質センサ、１００  船舶、２００  海象判断部、２０２  船舶状況判断部、２０４  航行状態検出部。
【図１】
2018172990.tif 000003
【図２】
2018172990.tif 000004
【図３】
2018172990.tif 000005
【図４】
2018172990.tif 000006
【図５】
2018172990.tif 000007
【図６】
2018172990.tif 000008
【図７】
2018172990.tif 000009
【図８】
2018172990.tif 000010
【図９】
2018172990.tif 000011
【図１０】
2018172990.tif 000012
【図１１】
2018172990.tif 000013
【図１２】
2018172990.tif 000014